(57)【要約】【課題】比較的低コストで、各電極ピンの曲がり等に個別に対応させることのできる基板用コネクタを提供する。【解決手段】回路基板に形成された配線パターン（１０１）に電気的に接続され、回路基板と所定の間隙を有するように立設される股状の脚部（１０ａ、１０ｂ）と、股状の脚部の脚部間において回路基板の裏面側から貫通される被接続対象の電極ピン（２００）と係合されて電気的に接続する雌型接触子（１３）と、股状の脚部の支持部（１１）から延設されて、雌型接触子をＸＹ方向に揺動可能に片持ち状態で支持する弾性部（１４）と、股状の脚部の脚部間に形成される空間に挿通されて、雌型接触子を収納し、雌型接触子の揺動に伴って従動可能に取り付けられるハウジング（１５）とを備える。【選択図】図２
2015138723.tif 000002
【特許請求の範囲】
【請求項１】
回路基板（１００）に取り付けられる基板用コネクタ（１）であって、
前記回路基板に形成された配線パターン（１０１）に電気的に接続され、前記回路基板と所定の間隙を有するように立設される股状の脚部（１０ａ、１０ｂ）と、
該股状の脚部の脚部間において前記回路基板の裏面側から貫通される被接続対象の電極ピン（２００）と係合されて電気的に接続する雌型接触子（１３）と、
前記股状の脚部の支持部（１１）から延設されて、前記雌型接触子をＸＹ方向に揺動可能に片持ち状態で支持する弾性部（１４）と、
前記股状の脚部の脚部間に形成される空間に挿通されて、前記雌型接触子を収納し、当該雌型接触子の揺動に伴って従動可能に取り付けられるハウジング（１５）と
を備えることを特徴とする基板用コネクタ。
【請求項２】
前記股状の脚部の支持部（１１）は、所定の隙間を挟んで前記ハウジングを囲繞するように形成され、前記雌型接触子は、前記支持部で囲繞される平面の略中央に位置するように構成されることを特徴とする請求項１に記載の基板用コネクタ。
【請求項３】
前記ハウジングの端部には、当該ハウジングが前記股状の脚部の脚部間に形成される空間に挿通された状態において、前記股状の脚部に当接されて挿通方向への移動を規制する規制部（１５ａ、１５ｂ）が形成されていることを特徴とする請求項１または請求項２に記載の基板用コネクタ。
【発明の詳細な説明】
【技術分野】
【０００１】
本発明は、パワーモジュール等を回路基板に電気的に接続させる基板用コネクタに関する。
【背景技術】
【０００２】
従来から例えば外部端子としてＩＧＢＴ等のパワーモジュールの電極ピンと、ＩＧＢＴの駆動制御の部品を搭載した電子回路基板との接続は、該回路基板に実装されたコネクタを介していた。
【０００３】
基板用コネクタに関する技術は種々提案されている（例えば、特許文献１等）。
【０００４】
例えば図９に示すように、従来に係る基板用コネクタ５００は、基板固定側ハウジング５０１に、隙間５０２を介して可動側ハウジング５０３が設けられる構造となっている。
【０００５】
可動側ハウジング５０３内には、パワーモジュール等の電極ピンと接続される複数の雌型接触子５０４が並設されている。雌型接触子５０４は、弾性変位可能な形状にて基板接続部５０５と一体状に成形されている。
【０００６】
そして、可動側ハウジング５０３は、弾性を有する端子５０４によって支持され、図９上、可動側ハウジング５０３全体がＣ方向に揺動可能となっている。
【０００７】
これにより、基板用コネクタ５００は、パワーモジュール等の電極ピンに多少の曲がり等の位置ズレを生じた場合であっても、可動側ハウジング５０３がＣ方向に揺動することにより、その位置ズレを吸収することができる。
【先行技術文献】
【特許文献】
【０００８】
【特許文献１】実開平６−４８１９０号公報
【発明の概要】
【発明が解決しようとする課題】
【０００９】
ところが、図９に示すような従来技術に係る基板用コネクタ５００では、可動側ハウジング５０３の全体が揺動する構造となっているため、パワーモジュール等において複数の電極ピンに曲がりや位置ズレ等がある場合に、各電極ピンの曲がり等に個別に対応することができないという不都合があった。
【００１０】
また、パワーモジュール等の電極ピンの数や配列に応じて、ピン孔の数やパターンを対応させた可動側ハウジングを用意する必要があり、コストが嵩むという難点もあった。
【００１１】
本発明は、上記課題に鑑みてなされたものであり、比較的低コストで、各電極ピンの曲がり等に個別に対応させることのできる基板用コネクタを提供することを目的とする。
【課題を解決するための手段】
【００１２】
上記目的を達成するため、本発明に係る基板用コネクタの第１の態様は、回路基板に取り付けられる基板用コネクタであって、前記回路基板に形成された配線パターンに電気的に接続され、前記回路基板と所定の間隙を有するように立設される股状の脚部と、該股状の脚部の脚部間において前記回路基板の裏面側から貫通される被接続対象の電極ピンと係合されて電気的に接続する雌型接触子と、前記股状の脚部の支持部から延設されて、前記雌型接触子をＸＹ方向に揺動可能に片持ち状態で支持する弾性部と、前記股状の脚部の脚部間に形成される空間に挿通されて、前記雌型接触子を収納し、当該雌型接触子の揺動に伴って従動可能に取り付けられるハウジングとを備えることを特徴とする。
【００１３】
本発明に係る基板用コネクタの第２の態様は、第１の態様に係る基板用コネクタにおいて、前記股状の脚部の支持部は、所定の隙間を挟んで前記ハウジングを囲繞するように形成され、前記雌型接触子は、前記支持部で囲繞される平面の略中央に位置するように構成されることを特徴とする。
【００１４】
本発明に係る基板用コネクタの第３の態様は、第１または第２の態様に係る基板用コネクタにおいて、前記ハウジングの端部には、当該ハウジングが前記股状の脚部の脚部間に形成される空間に挿通された状態において、前記股状の脚部に当接されて挿通方向への移動を規制する規制部が形成されていることを特徴とする。
【発明の効果】
【００１５】
本発明によれば以下の効果を奏することができる。
【００１６】
すなわち、第１の態様に係る基板用コネクタでは、回路基板を貫通して来る被接続対象の電極ピンの位置がずれた場合であっても、雌型接触子およびハウジングが弾性部の可動範囲内で回路基板に対してＸＹ方向に揺動するため、電極ピンの位置ズレを吸収することができる。特に、第１の態様に係る基板用コネクタは、被接続対象の各電極ピンに対応させて回路基板上に配設することができるので、比較的低コストで、各電極ピンの曲がり等に個別に対応させることができる。
【００１７】
第２の態様に係る基板用コネクタでは、雌型接触子は、支持部で囲繞される平面の略中央に位置するように構成されているので、被接続対象の電極ピンを雌型接触子に挿入する際の押圧力がハウジングを介して脚部に均等に加わるので、基板用コネクタの耐久性を向上させることができる。
【００１８】
第３の態様に係る基板用コネクタでは、被接続対象の電極ピンを挿入する際の押圧力は、ハウジングの挿入方向への移動が規制部と脚部の当接によって規制されているので、力が弾性部に直接加わることがなく、弾性部の変形等を防止することができる。
【図面の簡単な説明】
【００１９】
【図１】第１の実施の形態に係る基板用コネクタの取付け状態を示す全体斜視図である。
【図２】第１の実施の形態に係る基板用コネクタの構成例を示す（ａ）平面図、（ｂ）正面図、（ｃ）側面図である。
【図３】第１の実施の形態に係る基板用コネクタの構成例を示す側方断面図である。
【図４】第１の実施の形態に係る基板用コネクタにおいて、ハウジングを装着しない状態を示す斜視図である。
【図５】第１の実施の形態に係る基板用コネクタの弾性部を示す部分斜視図である。
【図６】第１の実施の形態に係る基板用コネクタのハウジングを示す斜視図である。
【図７】回路基板上に設けられた複数の基板用コネクタをパワーモジュールの電極ピンに接続する状態を示す説明図である。
【図８】第２の実施の形態に係る基板用コネクタの構成例を示す断面図である。
【図９】従来例に係る基板用コネクタの概略構成図である。
【発明を実施するための形態】
【００２０】
以下、本発明の一例としての実施の形態を図面に基づいて詳細に説明する。ここで、添付図面において同一の部材には同一の符号を付しており、また、重複した説明は省略されている。なお、ここでの説明は本発明が実施される最良の形態であることから、本発明は当該形態に限定されるものではない。
【００２１】
［第１の実施の形態に係る基板用コネクタの構成］
図１〜図７を参照して、第１の実施の形態に係る基板用コネクタ１Ａの構成について説明する。
【００２２】
図１は、第１の実施の形態に係る基板用コネクタ１Ａを回路基板１００に取付けた状態を示す全体斜視図である。
【００２３】
また、図２（ａ）は、第１の実施の形態に係る基板用コネクタ１Ａの構成例を示す平面図、図２（ｂ）はその正面図、図２（ｃ）はその側面図である。
【００２４】
さらに、図３は、第１の実施の形態に係る基板用コネクタ１Ａの構成例を示す側方断面図であり、図４は、第１の実施の形態に係る基板用コネクタ１Ａにおいて、ハウジング１５を装着しない状態を示す斜視図である。
【００２５】
図１等に示すように、第１の実施の形態に係る基板用コネクタ１Ａは、回路基板１００に取り付けられる基板用コネクタである。
【００２６】
基板用コネクタ１Ａは、回路基板１００上に形成された配線パターン１０１に半田付け１０２によって電気的に接続され、回路基板１００と所定の間隙を有するように立設される股状の脚部１０ａ、１０ｂを有する。
【００２７】
なお、図１等に示す本実施の形態に係る基板用コネクタ１Ａにおいて、脚部は二股状となってるが、これに限らず、三股状や四股状などとしてもよい。
【００２８】
そして、基板用コネクタ１Ａは、この股状の脚部１０ａ、１０ｂの脚部間において回路基板１００の裏面側から貫通される被接続対象（例えば、ＩＧＢＴ等のパワーモジュールなど）の電極ピン２００（図２（ｃ）、図３参照）と係合されて電気的に接続する雌型接触子１３（１３ａ、１３ｂ）と、股状の脚部１０ａ、１０ｂの環状の支持部１１から延設されて、雌型接触子１３をＸＹ方向に揺動可能に片持ち状態で支持する弾性部１４とを備える。
【００２９】
なお、弾性部１４の構造については、後述する。
【００３０】
本実施の形態において、股状の脚部１０ａ、１０ｂ、環状の支持部１１、弾性部１４および雌型接触子１３（１３ａ、１３ｂ）は、例えば、銅合金等の耐熱合金で構成される板金を型抜し、折曲げ加工等を施して作成される。ここで、符号１２は、板金を折曲げ加工した際の支持部１１の継ぎ目である。また、雌型接触子１３は、板金を巻くようにして加工されるため、上方の一部が二重になる構造となっている。
【００３１】
また、雌型接触子１３ａ、１３ｂは、被接続対象の電極ピン２００を挟んで保持する板バネ状の構造となっている。
【００３２】
さらに、本実施の形態に係る基板用コネクタ１Ａは、股状の脚部１０ａ、１０ｂの脚部間に形成される空間Ｓ（図４参照）に挿通されて、雌型接触子１３を収納し、雌型接触子１３の揺動に伴って従動可能に取り付けられるハウジング１５（図１、図２および図６参照）を備える。
【００３３】
ハウジング１５は、例えば、ポリフェニレンサルファイド樹脂（ＰＰＳ：Poly Phenylene Sulfide Resin）等の耐熱性樹脂等で成形される。
【００３４】
なお、ハウジング１５を設けることにより、雌型接触子１３に対して挿抜される被接続対象の電極ピン２００の挿抜方向の姿勢を安定させることができる。
【００３５】
また、本実施の形態に係る基板用コネクタ１Ａにおいて、ハウジング１５の内側面１５ｄの間隔は、雌型接触子１３の上部に嵌合保持される寸法となるように設計されている。
【００３６】
これにより、股状の脚部１０ａ、１０ｂの脚部間に形成される空間Ｓからハウジング１５を挿入して、雌型接触子１３の上部に嵌合させるだけで、ハウジング１５が保持される。
【００３７】
なお、本実施の形態に係る基板用コネクタ１Ａでは、股状の脚部１０ａ、１０ｂの支持部１１は、所定の隙間を挟んでハウジング１５を囲繞するように形成され、雌型接触子１３は、支持部１１で囲繞される平面の略中央に位置するように構成される（図２（ａ）等参照）。
【００３８】
これにより、被接続対象の電極ピン２００を雌型接触子１３に挿入する際の押圧力がハウジング１５を介して脚部１０ａ、１０ｂに均等に加わるので、基板用コネクタ１Ａの耐久性を向上させることができる。
【００３９】
また、図６等に示すように、ハウジング１５の端部（図６では下端部）には、このハウジング１５が股状の脚部１０ａ、１０ｂの脚部間に形成される空間Ｓに挿通された状態において、股状の脚部１０ａ、１０ｂに当接されて挿通方向（矢印Ａ方向）への移動を規制する規制部１５ａ、１５ｂが形成されている。
【００４０】
これにより、被接続対象の電極ピン２００を挿入する際の押圧力は、ハウジング１５の挿入方向（矢印Ａ方向）への移動が規制部１５ａ、１５ｂと脚部１０ａ、１０ｂの当接によって規制されている（図２（ｂ）等参照）ので、力が弾性部１４に直接加わることがなく、弾性部１４の変形等を防止することができる。
【００４１】
ここで、図２（ｂ）、（ｃ）および図５を参照して、弾性部１４の構造について説明する。
【００４２】
弾性部１４は、例えば、断面形状が略正方形となる柱状に形成され、支持部１１から斜め上に延設されて、雌型接触子１３を片持ち状態で支持するようになっている。
【００４３】
これにより、回路基板１００を貫通して来る被接続対象の電極ピン２００の位置がずれた場合であっても、雌型接触子１３およびハウジング１５が弾性部１４の可動範囲内で回路基板に対してＸＹ方向に揺動する（図４等参照）ので、電極ピン２００の位置ズレを吸収することができる。
【００４４】
特に、基板用コネクタ１Ａは、図７に示すように、被接続対象（例えば、ＩＧＢＴ等のパワーモジュール３００）の各電極ピン２００に対応させて回路基板１００上に複数配設することができる。これにより、比較的低コストで、各電極ピン２００の曲がり等に個別に対応させることができる。
【００４５】
なお、図７に示すように、複数の基板用コネクタ１Ａを配設した回路基板１００は、ＩＧＢＴ等のパワーモジュール３００などに対して、自動組立ロボット等によって位置合わせした後、上方から矢印Ｂ方向に降下させることにより、各電極ピン２００が各基板用コネクタ１Ａに挿通されて電気的に接続される。
【００４６】
ここで、図２（ｂ）、（ｃ）および図３に示すように、ハウジング１５の底部には、円錐形状の案内面１５ｃが形成されている。これにより、回路基板１００がパワーモジュール３００などに対して降下された際に、各電極ピン２００の先端は、案内面１５ｃに案内されるので、雌型接触子１３に確実に挿通させることができる。
【００４７】
［第２の実施の形態に係る基板用コネクタの構成］
次に、図８を参照して、第２の実施の形態に係る基板用コネクタ１Ｂについて説明する。
【００４８】
なお、第１の実施の形態に係る基板用コネクタ１Ａと同様の構成については同一符号を付して重複した説明は省略する。
【００４９】
第２の実施の形態に係る基板用コネクタ１Ｂが、第１の実施の形態に係る基板用コネクタ１Ａと異なる点は、ハウジング１５の外側面の一部に摺接する係合爪４００が設けられている点である。
【００５０】
これにより、ハウジング１５の内側面１５ｄと雌型接触子１３との間に隙間がある状態（即ち、遊嵌状態）であっても、ハウジング１５の外側面の一部に摺接する係合爪４００によってハウジング１５を確実に固定することができる。
【００５１】
以上本発明者によってなされた発明を実施の形態に基づき具体的に説明したが、本明細書で開示された実施の形態はすべての点で例示であって開示された技術に限定されるものではないと考えるべきである。すなわち、本発明の技術的な範囲は、前記の実施の形態における説明に基づいて制限的に解釈されるものでなく、あくまでも特許請求の範囲の記載にしたがって解釈すべきであり、特許請求の範囲の記載技術と均等な技術および特許請求の範囲内でのすべての変更が含まれる。
【符号の説明】
【００５２】
１Ａ、１Ｂ…基板用コネクタ
１０ａ、１０ｂ…脚部
１１…支持部
１３（１３ａ、１３ｂ）…雌型接触子
１４…弾性部
１５…ハウジング
１５ａ…規制部
１５ｃ…案内面
１５ｄ…内側面
１００…回路基板
１０１…配線パターン
２００…電極ピン
３００…パワーモジュール
４００…係合爪
５００…基板用コネクタ
５０１…基板固定側ハウジング
５０２…隙間
５０３…可動側ハウジング
５０４…端子
５０５…雌型接触子
Ｓ…空間
【図１】
2015138723.tif 000003
【図２】
2015138723.tif 000004
【図３】
2015138723.tif 000005
【図４】
2015138723.tif 000006
【図５】
2015138723.tif 000007
【図６】
2015138723.tif 000008
【図７】
2015138723.tif 000009
【図８】
2015138723.tif 000010
【図９】
2015138723.tif 000011